(57)【要約】  デッドボルトとして機能するラッチボルトを有する彫り込みロックが開示される。本彫り込みロックは、開口部が形成された前面壁とラッチ突起片掛かり孔が形成された側面壁部分とを有するケースと、ボディ部と前記ボディ部から延びて前記前面壁に形成された開口部を通って前記ケースの外部に露出する第１部分と前記第１部分の端部から斜めに延びた第２部分とからなるヘッド部とを有するラッチボルトと、前記ラッチボルトのボディ部に回転可能に取付けられ前記ラッチボルトのヘッド部より先にドアフレームのストライキングプレートに接触するように突出した突出部と前記ケースのラッチ突起片掛かり孔に掛かるフック部とを有し前記突出部よりケース内部に近い位置に回転中心軸を備えたラッチ突起片と、からなる彫り込みロックであって、前記ドアフレームのストライキングプレートが前記ラッチ突起片の前記突出部を押す力によって、前記ラッチ突起片の回転中心軸が回転しながら前記ケース内部に移動して前記ラッチボルトのヘッド部の第１部分がケース内部に入るようにし、前記ドアフレームのストライキングプレートが前記ラッチボルトのヘッド部の第２部分の勾配面を押して前記ヘッド部の第２部分がケース内部に入るように構成される。
2008538395.tif 000002
【特許請求の範囲】
【請求項１】
開口部が形成された前面壁とラッチ突起片掛かり孔が形成された側面壁部分とを有するケースと、
ボディ部と、前記ボディ部から延びて前記前面壁に形成された開口部を通って前記ケースの外部に露出する第１部分と前記第１部分の端部から斜めに延びた第２部分とからなるヘッド部と、を有するラッチボルトと、
前記ラッチボルトのボディ部に回転可能に取付けられ前記ラッチボルトのヘッド部より先にドアフレームのストライキングプレートに接触するように突出した突出部と、前記ケースのラッチ突起片掛かり孔に掛かるフック部とを有し、前記突出部よりケース内部に近い位置に回転中心軸を備えたラッチ突起片と、からなる彫り込みロックであって、
前記ドアフレームのストライキングプレートが前記ラッチ突起片の前記突出部を押す力によって、前記ラッチ突起片の回転中心軸が回転しながら前記ケース内部に移動して前記ラッチボルトのヘッド部の第１部分がケース内部に入るようにし、前記ドアフレームのストライキングプレートが前記ラッチボルトのヘッド部の第２部分の勾配面を押して前記ヘッド部の第２部分がケース内部に入るように構成される彫り込みロック。
【請求項２】
開口部が形成された前面壁とラッチ突起片掛かり孔が形成された側面壁部分とを有するケースと、
ボディ部と、前記ボディ部から延びて前記前面壁に形成された開口部を通って前記ケースの外部に露出する第１部分と前記第１部分の端部から斜めに延び断面積が徐々に減少する第２部分とからなるヘッド部と、を有するラッチボルトと、
前記ラッチボルトのボディ部に回転可能に取付けられ前記ラッチボルトのヘッド部より先にドアフレームのストライキングプレートに接触するように突出した突出部と、前記ケースのラッチ突起片掛かり孔に掛かるフック部とを有し、前記突出部よりケース内部に近い位置に回転中心軸を備えたラッチ突起片と、からなる彫り込みロックであって、
前記ドアフレームのストライキングプレートが前記ラッチ突起片の前記突出部を押す力によって、前記ラッチ突起片の回転中心軸が回転しながら前記ケース内部に移動して前記ラッチボルトのヘッド部の第１部分がケース内部に入るようにし、前記ドアフレームのストライキングプレートが前記ラッチボルトのヘッド部の第２部分の勾配面を押して前記ヘッド部の第２部分がケース内部に入るように構成される彫り込みロック。
【請求項３】
開口部が形成された前面壁とラッチ突起片掛かり孔が形成された側面壁部分とを有するケースと、
ボディ部と、前記ボディ部から延びて前記前面壁に形成された開口部を通って前記ケースの外部に露出し一定の断面積を持つ第１部分と前記第１部分の端部から斜めに延び断面積が徐々に減少する第２部分とからなるヘッド部と、を有するラッチボルトと、
前記ラッチボルトのボディ部に回転可能に取付けられ前記ラッチボルトのヘッド部より先にドアフレームのストライキングプレートに接触するように突出した突出部と、前記ケースのラッチ突起片掛かり孔に掛かるフック部とを有し、前記突出部よりケース内部に近い位置に回転中心軸を備えたラッチ突起片と、からなる彫り込みロックであって、
前記ドアフレームのストライキングプレートが前記ラッチ突起片の突出部を押す力によって、前記ラッチ突起片の突出部が前記ラッチボルトの第１部分の高さと同じになるまで前記ラッチ突起片のフック部は前記ラッチ突起片掛かり孔に掛かった状態で前記ラッチ突起片の回転中心軸がケース内部に向けて回転しながら移動し、前記ラッチ突起片の突出部が前記ラッチボルトの第１部分の高さと同じになった後、前記ドアフレームのストライキングプレートが前記ラッチボルトのヘッド部の第２部分を押して前記ヘッド部の第２部分がケース内部に入るように構成される彫り込みロック。
【発明の詳細な説明】
【技術分野】
【０００１】
本発明は彫り込みロックに関するものであり、より詳しくはデッドボルトの役割を兼ねるラッチボルトを持つ彫り込みロックに関するものである。
【背景技術】
【０００２】
ドアフレームにヒンジで連結されたドアには、彫り込みロックというロッキング装置が一般的に使用されている。
彫り込みロックはドアのヒンジの反対側の縁に設置され、ドアが回転して閉まる時に、外部に露出したラッチボルトは、木材又は鉄板から製作されたドアフレームに設置されたストライキングプレートに押されて彫り込みロックのケース内部に入り、ドアが閉められた後に彫り込みロックに設置されたデッドボルトがドアフレームのサービスホールに入り込むことによってドアのロッキングをより確実なものにする。
【０００３】
ドアが閉まる時に、彫り込みロックのラッチボルトがドアフレームのストライキングプレートに押されて彫り込みロックのケース内部に入るようにするために、彫り込みロックのケースの外に出ているラッチボルトの長さは既に定められているが、殆どの場合、彫り込みロックのケースの外に出ているラッチボルトの長さは３/４インチ（約１９ｍｍ）である。
【０００４】
ドアとドアフレームの間の間隔が広くなると、ドアフレームのサービスホールに入るラッチボルトの長さは短くなる。従って、ドアとドアフレームの間の間隔を一定に維持できるようにする必要がある。しかし、ドアとドアフレームの間の間隔は、ドアとドアフレームの施工不良によって間隔が広過ぎることもあり、またドアとドアフレームの間隔を均一に維持したとしても、室内の温度及び湿度の変化によってドアとドアフレームが収縮及び膨張して、ドアとドアフレームの間隔を均一に維持するのが困難である。
【０００５】
ドアに設置された彫り込みロックのラッチボルトがドアフレームのサービスホールに入り込むラッチボルトの短い長さを補うために、通常、彫り込みロックにはラッチボルトの長さよりもっと長く外に出るデッドボルトが設置されている。
デッドボルトは、ドアが閉じられた後にドアフレームのサービスホールに入ることによって、ドアのロッキングをより確実なものにするが、係るデッドボルトは、彫り込みロックのラッチボルトがドアフレームのサービスホールに入り込みドアが閉じられた後に、手動によって操作される。
デッドボルトを持つ彫り込みロックでは、ドアが閉じられた後に、デッドボルトの手動的なロッキングの操作を必要とする。このようなデッドボルトの手動操作は使用者にとって不都合であり、また彫り込みロックの構造を複雑なものにしている。
【発明の開示】
【発明が解決しようとする課題】
【０００６】
本発明は、デッドボルトの役割を兼ねたラッチボルトを持つ彫り込みロックを提供することを目的とする。
【課題を解決するための手段】
【０００７】
本発明の目的を達成するために、本発明にかかる彫り込みロックは、開口部が形成された前面壁とラッチ突起片掛かり孔が形成された側面壁部分とを有するケースと、ボディ部と、前記ボディ部から延びて前記前面壁に形成された開口部を通って前記ケースの外部に露出する第１部分と前記第１部分の端部から斜めに延びた第２部分とからなるヘッド部と、を有するラッチボルトと、前記ラッチボルトのボディ部に回転可能に取付けられ前記ラッチボルトのヘッド部より先にドアフレームのストライキングプレートに接触するように突出した突出部と、前記ケースのラッチ突起片掛かり孔に掛かるフック部とを有し、前記突出部よりケース内部に近い位置に回転中心軸を備えたラッチ突起片と、からなる彫り込みロックであって、前記ドアフレームのストライキングプレートが前記ラッチ突起片の前記突出部を押す力によって、前記ラッチ突起片の回転中心軸が回転しながら前記ケース内部に移動して前記ラッチボルトのヘッド部の第１部分がケース内部に入るようにし、前記ドアフレームのストライキングプレートが前記ラッチボルトのヘッド部の第２部分の勾配面を押して前記ヘッド部の第２部分がケース内部に入るように構成される。
【０００８】
また本発明の別の態様は、開口部が形成された前面壁とラッチ突起片掛かり孔が形成された側面壁部分とを有するケースと、ボディ部と、前記ボディ部から延びて前記前面壁に形成された開口部を通って前記ケースの外部に露出する第１部分と前記第１部分の端部から斜めに延び断面積が徐々に減少する第２部分とからなるヘッド部と、を有するラッチボルトと、前記ラッチボルトのボディ部に回転可能に取付けられ前記ラッチボルトのヘッド部より先にドアフレームのストライキングプレートに接触するように突出した突出部と、前記ケースのラッチ突起片掛かり孔に掛かるフック部とを有し、前記突出部よりケース内部に近い位置に回転中心軸を備えたラッチ突起片と、からなる彫り込みロックであって、
前記ドアフレームのストライキングプレートが前記ラッチ突起片の前記突出部を押す力によって、前記ラッチ突起片の回転中心軸が回転しながら前記ケース内部に移動して前記ラッチボルトのヘッド部の第１部分がケース内部に入るようにし、前記ドアフレームのストライキングプレートが前記ラッチボルトのヘッド部の第２部分の勾配面を押して前記ヘッド部の第２部分がケース内部に入るように構成される彫り込みロックである。
【０００９】
本発明のさらに別の態様は、開口部が形成された前面壁とラッチ突起片掛かり孔が形成された側面壁部分とを有するケースと、ボディ部と、前記ボディ部から延びて前記前面壁に形成された開口部を通って前記ケースの外部に露出し一定の断面積を持つ第１部分と前記第１部分の端部から斜めに延び断面積が徐々に減少する第２部分とからなるヘッド部と、を有するラッチボルトと、前記ラッチボルトのボディ部に回転可能に取付けられ前記ラッチボルトのヘッド部より先にドアフレームのストライキングプレートに接触するように突出した突出部と、前記ケースのラッチ突起片掛かり孔に掛かるフック部とを有し、前記突出部よりケース内部に近い位置に回転中心軸を備えたラッチ突起片と、からなる彫り込みロックであって、前記ドアフレームのストライキングプレートが前記ラッチ突起片の突出部を押す力によって、前記ラッチ突起片の突出部が前記ラッチボルトの第１部分の高さと同じになるまで前記ラッチ突起片のフック部は前記ラッチ突起片掛かり孔に掛かった状態で前記ラッチ突起片の回転中心軸がケース内部に向けて回転しながら移動し、前記ラッチ突起片の突出部が前記ラッチボルトの第１部分の高さと同じになった後、前記ドアフレームのストライキングプレートが前記ラッチボルトのヘッド部の第２部分を押して前記ヘッド部の第２部分がケース内部に入るように構成される彫り込みロックである。
【発明の効果】
【００１０】
本発明によれば、デッドボルトの役割を兼ねたラッチボルトを持つ彫り込みロックを得ることができる。
【発明を実施するための最良の形態】
【００１１】
以下に、本発明の実施例を示す図面を参考にして、本発明の好ましい実施態様を詳細に説明する。
図１は、本発明による一つの実施例である彫り込みロックを右側から見た斜視図であり、図２は、本発明による一つの実施例である彫り込みロックを左側から見た斜視図である。
【００１２】
まず、図１及び図２を参照すると、符号１０は本発明の彫り込みロックを表している。彫り込みロック１０は直方体のケース２２を有し、ケース２２の内部の空間部にはロックの構成要素等が収容されている。ケース２２の内部の空間部にはロックの構成要素等が装着され、カバー２４によって閉鎖される。カバー２４の反対側２８は、一体に形成されたケース２２の一つの側面を構成する。
カバー２４には円形状になったスピンドル貫通穴２４ａが形成されている。ドアハンドルに連結されてドアハンドルによって回転されるスピンドルは、カバー２４に形成されたスピンドル貫通穴２４ａを通ってケース２２の内部に位置するハブ４２（図３及び図４参照）に取付けられる。
【００１３】
カバー２４の反対側２８にも円形状になっているスピンドル貫通穴２８ａが形成されている。また、他のドアハンドルに連結されてドアハンドルによって回転されるスピンドルは、カバー２４の反対側２８に形成されたスピンドル貫通穴２８ａを通ってケース内部に位置する他のハブ４４（図３及び図４参照）に取付けられる。
ケース２２の前面には、前面プレート２６がケース２２に固定されている。前面プレート２６の上下の縁の近傍に、彫り込みロック１０がドアに設置できるようにネジ穴２６ｃ、２６ｄが形成され、ケース２２の中央部には矩形状のラッチボルト出入口２６ａが形成されている。この場合、ラッチボルト出入口２６ａは開かれている。
ラッチボルト３０のヘッド部３４、３６は、前面プレート２６に形成されたラッチボルト出入口２６ａを通って、ケース外部からケース内部に移動したりケース内部からケース外部に移動したりする。
【００１４】
ラッチボルト３０は、図５及び図６に示すように、ボディ部３２と、ボディ部３２から上下に分けられて延びるヘッド部３４、３６及び二つのヘッド部３４、３６の間に位置して旋回運動をするラッチ突起片３８を有している。また、ラッチボルトのヘッド部３４、３６は、反対面と平行に一定距離だけ延びた平面部分３４ａ、３６ａと、平面部分３４ａ、３６ａからさらに伸びる勾配面３４ｂ、３６ｂからなる。ラッチボルトのヘッド部３４、３６の平面部分３４ａ、３６ａが、前面プレート２６のラッチボルト出入口２６ａを通って出るラッチボルトの長さを延長している。
【００１５】
ラッチ突起片３８は、ラッチボルトのボディ部３２から延びたヘッド部３４、３６の平面部分３４ａ、３６ａがドアフレームのストライキングプレートにぶつからないように、ラッチボルトのヘッド部３４、３６の平面部分３４ａ、３６ａよりも突出している。ドアを閉める時、ラッチ突起片３８は、旋回運動をしながらラッチボルトのヘッド部の間に入り、同時にラッチボルトのヘッド部の平面部分３４ａ、３６ａを引っ張ってケース内部に入れる。ラッチ突起片３８がラッチボルトのヘッド部の平面部分３４ａ、３６ａを引っ張ってケース内部に入れる動作を、図８を参照して詳細に説明する。また、ラッチボルトの構造を図５及び図６を参照して詳細に説明する。
【００１６】
本発明による彫り込みロックの内部構造を、図３及び図４を参照して述べる。
ドアハンドルによって回転されるスピンドルが挿入されるハブ４０は、外側のドアハンドルに連結され該ドアハンドルによって回転されるスピンドルに連結されている第１ハブ部材４２と、内側ドアハンドルに連結され該ドアハンドルによって回転されるスピンドルに連結されている第２ハブ部材４４とからなる。ハブ部材４２、４４の下の方には、カム面４２ｃ、４４ｃがそれぞれ形成されている。
【００１７】
ハブ４０の下の方にはプッシュレバー５０が位置する。プッシュレバー５０の一端は、ハブが回転する時に下方に動く。プッシュレバー５０は棒状のプッシュレバー部材５２を有し、プッシュレバー部材５２の一側はケースの第１ボス２８１に嵌め込まれて旋回運動する。そして、プッシュレバー部材５２の中央部分にはピン５２ｃが設置され、ピン５２ｃには回転リング５４、５６が嵌め込まれる。回転リング５４、５６は各々のハブ部材４２、４４の下の方に形成されているカム面４２ｃ、４４ｃに接触し、ハブが回転する時にプッシュレバーの端部が下がるようになっている。プッシュレバー部材５０の下の方には復帰スプリング５８が位置しており、下方に動いたプッシュレバー部材を復帰させる。
【００１８】
一体に形成されたケース２２の内部にはラッチ器具３０が位置し、ラッチ器具のヘッド部３４、３６は前面プレート２６の開口部２６ａを通って露出している。ケース２２の側面にはハンドルの回転軸が貫通できる貫通穴２８ａが形成され、ケース内部には第１、第２ボス２８１、２８３が突出している。レバー６０は一側に穴６２ｄ、６２ｅが形成され、該穴６２ｄ、６２ｅに回転部材６４が嵌め込まれる。レバー６０は、第２ボス２８３に嵌め込まれて第２ボス２８３を旋回軸として旋回運動する。
【００１９】
レバー６０の穴６２ｄ、６２ｅに嵌め込まれた回転部材６４は、プッシュレバー部材の一端と接触し、プッシュレバー部材の一端が下方に移動する時にレバー６０を旋回させる。レバー６０の突出部６２ｃは、ラッチボルトのボディ部に形成された溝３２ｂに挟まれて、レバー６０が旋回しながらラッチボルト３０のヘッド部３４、３６をケース内に引っ張る役割をする。
【００２０】
次に、ラッチ器具の構造に対して説明する。ラッチボルト３０は、図５及び図６に示すように、ボディ部３２とボディ部３２から上下に分かれて延びるヘッド部３４、３６、ボディ部３２に取付けられたラッチボルトのテール３２１、ヘッド部３４、３６の後部に位置して旋回運動するラッチ突起片３８を有している。ラッチボルトのヘッド部３４、３６は、反対面と平行に一定距離だけ延びた平面部分３４ａ、３６ａと、平面部分３４ａ、３６ａからさらに延びる勾配面３４ｂ、３６ｂからなる。
【００２１】
ラッチボルトのヘッド部３４、３６の平面部分３４ａ、３６ａが、前面プレート２６のラッチボルト出入口２６ａを通って出るラッチボルトの長さを延長している。ラッチ突起片３８は、ラッチボルトのボディ部３２から延びたヘッド部３４、３６の平面部分３４ａ、３６ａがドアフレームのストライキングプレートにぶつからないように、ラッチボルトのヘッド部３４、３６の平面部分３４ａ、３６ａよりも突出している。
ドアが閉じられる時に、ラッチ突起片３８が、ドアフレームのストライキングプレートに先ず接触して、ドアフレームのストライキングプレートに押さえられて旋回運動しながらラッチボルトのヘッド部の平面部分３４ａ、３６ａをケース内部に入れるようにして、ラッチボルトのヘッド部の平面部分３４ａ、３６ａがドアフレームのストライキングプレートにぶつからないようにする。そのためにラッチ突起片３８は、ラッチボルトのヘッド部３４、３６の平面部分３４ａ、３６ａより高く上がっている。
【００２２】
左側の側面２８には、ラッチボルトの出入口２６ａの後方に向かって突出した突出部２８ｂが形成される。突出部２８ｂは、ラッチボルトのヘッド部の勾配部分３４ｂ、３６ｂがラッチボルトの出入口２６ａを通ってケース内部に移動する時に、ラッチ突起片のフック部の移動路になる。突出部２８ｂの前方には、矩形状に開口したフック掛かり孔２８ｃが形成され、ラッチ突起片３８の後側がフック掛かり孔に掛かるようになっている。
【００２３】
ラッチ突起片３８の一端は、ドアを閉じる時にラッチボルトのヘッド部３４、３６より先にドアフレームのストライキングプレートに押されるようにラッチボルトのヘッド部３４、３６より高く突出している。ラッチ突起片３８は、ドアフレームのストライキングプレートに押されながらヘッド部３４、３６の平面部分を彫り込みロックのケース内部に移動させる。
【００２４】
図７は、図１のVII−VII線による断面図である。
ケース２２の前面には前面プレート２６がケース２２に固定されている。前面プレート２６の真中には矩形状の開放されたラッチボルトの出入口２６ａが形成される。
ラッチボルト３０のヘッド部３４、３６は前面プレート２６に形成されたラッチボルトの出入口２６ａを通ってケース外部からケース内部に移動したりケース内部からケース外部に移動したりする。
【００２５】
図８乃至図１０を参照して、本発明による彫り込みロックの動作を説明する。
先ず、図８に図示するように、ラッチ突起片３８は、回転ピン３４１によってラッチボルトに結合しているので回転ピン３４１を中心軸として回転する。この時、回転ピン３４１とラッチ突起片３８の突出部３８ａの距離Ｒは一定なので、ドアフレームに設置されたストライキングプレートがラッチ突起片３８の突出部３８ａを矢印の方向から押す時に、ラッチ突起片３８の突出部３８ａは、回転ピン３４１を中心（Ｏ）とする半径Ｒの円弧上に位置している。
【００２６】
しかし、ラッチ突起片３８の後側は、側面２８ｄに形成された溝に掛かっているので、ラッチ突起片３８が右側に移動しなければ回転できない。ドアフレームに設置されたストライキングプレートがラッチ突起片３８の突出部３８ａを矢印の方向から押す力は、ラッチ突起片を回転させる垂直方向の力とラッチ突起片を右側に移動させる水平方向の力に分けられるので、ドアフレームに設置されたストライキングプレートがラッチ突起片３８の突出部３８ａを矢印の方向から押す時にラッチ突起片３８は右側に移動しながら回転する。
【００２７】
ラッチ突起片が右側に移動する距離Ｌは、ラッチ突起片が移動しないと仮定すれば、ラッチ突起片３８の突出部３８ａが回転して上方に上がった位置と回転ピン３４１を中心（Ｏ）として半径Ｒの円弧とが交わる点からの垂直線と、元のラッチ突起片３８の突出部３８ａからの垂直線との間の距離で決定される。
従って、ドアフレームに設置されたストライキングプレートがラッチ突起片３８の突出部３８ａを矢印の方向から押す時に、ラッチ突起片３８の突出部３８ａは、上方に移動しながら図の右側の方に移動しながら回転する。
【００２８】
ラッチ突起片３８は回転ピン３４１によってラッチボルトに結合しているので、ラッチ突起片が右側に移動すればラッチボルトもラッチ突起片と共に右側に移動する。
ドアフレームに設置されたストライキングプレートがラッチ突起片３８の突出部３８ａを矢印の方向から押して、ラッチ突出部が右側に移動するまでラッチボルトは動く。
【００２９】
図１１乃至図１６を参照して、本発明の彫り込みロック１０がロックされる動作を説明する。
図１１について述べると、ラッチボルトのヘッド部３４、３６とラッチ突起片３８は、ケース２２の前面プレート２６に形成されているラッチボルト出入口２６ａを通ってケースの外に突出している。ドアを閉じる時には、ラッチ突起片３８の突出部３８ａがラッチボルトのヘッド部３４、３６の平面部分３４ａ、３６ａより高い位置にあるので、先ずラッチ突起片３８の突出部３８Ａがドアフレームに設置されたストライキングプレート１００に接触する。ドアが閉じられる力によって、ドアフレームのストライキングプレート１００がラッチ突起片３８の突出部３８ａを押し、ラッチ突起片３８は回転ピン３４１を中心として時計方向に回転しようとする。しかし、ラッチ突起片３８の後方の掛かり部３８ｃがケースの左側の側面２８の突出部２８ｄに掛かっているので、ラッチ突起片３８は回転ピン３４１を中心軸として回転できず、掛かり部３８ｃと突出部２８ｄが当たる点を回転中心軸として回転するようになる。ラッチ突起片３８が掛かり部３８ｃと突出部２８ｄが当たる点を回転中心軸として時計方向に回転すると、回転ピン３４１は右側に移動する。
【００３０】
回転ピン３４１が右側に押されると、回転ピン３４１と連結しているラッチボルトのヘッド部３４、３６の左端部分がケース２２の内部に向かって移動する。ラッチボルトのヘッド部３４、３６が右側に移動すると、ラッチ突起片３８の端部も右側に移動し、この時、ラッチ突起片３８の勾配面３８ｂは回転してラッチボルトの勾配面３４ｂ、３６ｂと同じようになろうとする。図９Ｂについて述べると、図９Ａの状態でドアが閉まり始まると、回転ピン３４１が右側に若干移動し、これによってラッチボルトのヘッド部３４、３６の端部とラッチ突起片３８の端部が若干右側に移動し、ラッチ突起片３８が回転してラッチ突起片３８の勾配面３８ｂがラッチボルトの勾配面３４ｂ、３６ｂと同じようになるように回転して移動する。
【００３１】
図１２について述べると、ラッチ突起片３８の突出部分３８ａは、平面部分３４ａ、３６ａよりまだ高い位置にあり、ドアフレームに設置されたストライキングプレート１００に接触しているので、ラッチ突起片３８は時計方向に回転しようとする。この時、ラッチ突起片３８の掛かり部３８ｃが、左側の側面２８の突出部２８ｄに掛かっているので、回転ピン３４１を中心軸としてではなく、掛かり部３８ｃと突出部２８ｄが当たる点を中心軸として回転する。
【００３２】
回転ピン３４１が右側に押されると、回転ピン３４１と連結しているラッチボルトのヘッド部３４、３６の左端部分がケース２２の内部に向かって移動する。ラッチボルトのヘッド部３４、３６が右側に移動すると、ラッチ突起片３８の端部も右側に移動し、この時、ラッチ突起片３８の勾配面３８ｂは、回転してラッチボルトの勾配面３４ｂ、３６ｂと一層同じようになろうとする。図９Ｃについて述べると、図９Ｂの状態でドアが閉まり始まると、回転ピン３４１が右側に若干移動し、これによってラッチボルトのヘッド部３４、３６の端部とラッチ突起片３８の端部が若干右側に移動し、ラッチ突起片３８が回転してラッチ突起片３８の勾配面３８ｂがラッチボルトの勾配面３４ｂ、３６ｂと同じになるように回転移動する。
【００３３】
図１３の状態に、ドアがさらに閉じられると、ラッチ突起片３８の突出部分３８ａはドアフレームに設置されたストライキングプレート１００に接触しているので、ラッチ突起片３８は時計方向にさらに回転する。この時、ラッチ突起片３８の掛かり部３８ｃが左側面２８の突出部２８ｄに掛かっているので、回転ピン３４１を中心軸としてではなく、掛かり部３８ｃと突出部２８ｄが当たる点を中心軸として回転する。
【００３４】
回転ピン３４１が右側に押されると、回転ピン３４１と連結しているラッチボルトのヘッド部３４、３６の左端部分がケース２２の内部に向かって移動する。ラッチボルトのヘッド部３４、３６が右側に移動すると、ラッチ突起片３８の端部も右側に移動し、この時、ラッチ突起片３８の勾配面３８ｂは回転してラッチボルトの勾配面３４ｂ、３６ｂと同じになる。
図１４について述べると、図１３のようにさらにドアが閉まると、回転ピン３４１が右側に移動し、これによってラッチボルトのヘッド部３４、３６の端部とラッチ突起片３８の端部が右側に移動し、ラッチ突起片３８が回転してラッチ突起片３８の勾配面３８ｂがラッチボルトの勾配面３４ｂ、３６ｂと同じようになる。
【００３５】
図１４の状態になると、ドアフレームに設置されたストライキングプレート１００は、ラッチボルトのヘッド部３４、３６の勾配面に接触する。この場合、ラッチボルトの勾配面３４ｂ、３６ｂはドアフレームのストライキングプレート１００に押されて、ストライキングプレート１００がラッチボルトの勾配面を押す力は、水平分力で作用して回転ピン３４１を右側に移動させる。回転ピンが右側に移動することによって、回転ピン３４１と連結しているラッチボルトのヘッド部３４、３６の左端部及びラッチ突起片３８の左端部がケース２２の内部に向かって移動する。
図１５は、回転ピンがケースの内側に移動した状態を表す。すなわち、図１５について述べると、図１４の状態でドアフレームに設置されたストライキングプレート１００がラッチボルトのヘッド部３４、３６の勾配面に接触すると共にラッチボルトの勾配面３４ｂ、３６ｂがドアフレームのストライキングプレート１００に押されて、ストライキングプレート１００がラッチボルトの勾配面を押す力は、水平分力で作用して回転ピン３４１を右側に移動させる。
【００３６】
図１５に示す状態においてはドアがさらに閉められ、ドアフレームのストライキングプレート１００はさらにラッチボルトのヘッド部３４、３６の勾配面を押して、ドアフレームのストライキングプレート１００によって押されたラッチボルトは完全にケース内部に入り込む（図１５）。
ドアフレームのストライキングプレート１００から押さえられたラッチボルトが完全にケース内部に位置した状態（図１５）でドアが完全に閉められると、ラッチボルトのヘッド部３４、３６の前面にストライキングプレート１００内の空間部１００ａが形成され、ストライキングプレートがヘッド部３４、３６を押していた力が消失する。この状態で、ラッチボルトはスプリング３２３の力によって左側に押されるので、ラッチボルトのヘッド部３４、３６はケース２２の前面プレート２６に形成されているラッチボルト出入口２６ａを通ってケースの外に出て空間部１００ａに入り込みドアがロックされる（図１６）。
【００３７】
次は、図１７乃至図１９を参照して、ドアを開けるためにドアハンドルを回す時に、ラッチボルトのヘッド部がストライキングプレート１００に形成された空間部１００ａから抜け出る動作を説明する。
先ずドアが閉められた状態では、ラッチボルトのボディ部３２は、スプリング３２３の弾性力によって左側に押され、ラッチボルトのボディ部に連結しているラッチボルトのヘッド部３４、３６はケース２２の前面プレート２６に形成されているラッチボルトの出入口２６ａを通ってケース２２の外に出てストライキングプレートに形成された空間部１００ａに入り込んでいる（図１７）。
【００３８】
図１７の状態にあるドアを開けるためにドアハンドルを回すと、ドアハンドルに連結したスピンドルが回転する。スピンドルは、ハブ４２に形成されている星形のスピンドル貫通ホール４２ｂに挿入されるので、スピンドルが回転することによってハブ４２が回転する。ハブ４２が回転すると、二枚の花びら形状のカム面４２ｃは回転しながらカム面４２ｃに挟まれている回転リング５４を下方に押す。回転リング５４がカム面４２ｃによって押されると、プッシュレバー部材５２は、第１ボス２８１を旋回軸として旋回し、旋回軸の反対側の下方に下がり、レバー６２に挟まれている回転部材６４を下方に押し下げる。回転部材６４が下方に下がることによって、レバー６２の端部６２ｃは第２ボス２８３を旋回軸として時計方向に旋回し、ラッチボルトのボディ部がケースケース内部に入り込む（図１８）。
【００３９】
ドアハンドルに連結されたスピンドルが回転して、花びら形状のカム面４２ｃが回転リング５４を下方に完全に下げるようにし、レバー６２の端部６２ｃは第２ボス２８３を軸として完全に時計方向に旋回してラッチボルトのヘッド部がドアフレームに設置されたサービスホールから抜け出るようにする。係る状態で、ドアを引っ張るとドアが開けられる（図１９）。
【産業上の利用可能性】
【００４０】
本発明は、彫り込みロックに有効に使用することができる。
【図面の簡単な説明】
【００４１】
【図１】本発明の彫り込みロックを右側から見た斜視図である。
【図２】本発明の彫り込みロックを左側から見た斜視図である。
【図３】カバーを開いた状態の彫り込みロックの内部を表す分解斜視図である。
【図４】彫り込みロックの部品を表す分解斜視図である。
【図５】ラッチボルトの斜視図である。
【図６】ラッチボルトの部品を表す分解斜視図である。
【図１】
2008538395.tif 000003
【図２】
2008538395.tif 000004
【図３】
2008538395.tif 000005
【図４】
2008538395.tif 000006
【図５】
2008538395.tif 000007
【図６】
2008538395.tif 000008
【図７】
2008538395.tif 000009
【図８】
2008538395.tif 000010
【図９】
2008538395.tif 000011
【図１０】
2008538395.tif 000012
【図１１】
2008538395.tif 000013
【図１２】
2008538395.tif 000014
【図１３】
2008538395.tif 000015
【図１４】
2008538395.tif 000016
【図１５】
2008538395.tif 000017
【図１６】
2008538395.tif 000018
【図１７】
2008538395.tif 000019
【図１８】
2008538395.tif 000020
【図１９】
2008538395.tif 000021
【手続補正書】
【提出日】平成19年11月22日(2007.11.22)
【手続補正１】
【補正対象書類名】明細書
【補正対象項目名】００３０
【補正方法】変更
【補正の内容】
【００３０】
回転ピン３４１が右側に押されると、回転ピン３４１と連結しているラッチボルトのヘッド部３４、３６の左端部分がケース２２の内部に向かって移動する。ラッチボルトのヘッド部３４、３６が右側に移動すると、ラッチ突起片３８の端部も右側に移動し、この時、ラッチ突起片３８の勾配面３８ｂは回転してラッチボルトの勾配面３４ｂ、３６ｂと同じようになろうとする。図１２について述べると、図１１の状態でドアが閉まり始まると、回転ピン３４１が右側に若干移動し、これによってラッチボルトのヘッド部３４、３６の端部とラッチ突起片３８の端部が若干右側に移動し、ラッチ突起片３８が回転してラッチ突起片３８の勾配面３８ｂがラッチボルトの勾配面３４ｂ、３６ｂと同じようになるように回転して移動する。
【手続補正２】
【補正対象書類名】明細書
【補正対象項目名】００３２
【補正方法】変更
【補正の内容】
【００３２】
回転ピン３４１が右側に押されると、回転ピン３４１と連結しているラッチボルトのヘッド部３４、３６の左端部分がケース２２の内部に向かって移動する。ラッチボルトのヘッド部３４、３６が右側に移動すると、ラッチ突起片３８の端部も右側に移動し、この時、ラッチ突起片３８の勾配面３８ｂは、回転してラッチボルトの勾配面３４ｂ、３６ｂと一層同じようになろうとする。図１３について述べると、図１２の状態でドアが閉まり始まると、回転ピン３４１が右側に若干移動し、これによってラッチボルトのヘッド部３４、３６の端部とラッチ突起片３８の端部が若干右側に移動し、ラッチ突起片３８が回転してラッチ突起片３８の勾配面３８ｂがラッチボルトの勾配面３４ｂ、３６ｂと同じになるように回転移動する。
【手続補正３】
【補正対象書類名】明細書
【補正対象項目名】００４１
【補正方法】変更
【補正の内容】
【００４１】
【図１】本発明の一つの実施例である彫り込みロックを右側から見た斜視図である。
【図２】本発明の一つの実施例である彫り込みロックを左側から見た斜視図である。
【図３】本発明のカバーを開いた状態の彫り込みロックの内部を表す分解斜視図である。
【図４】本発明の彫り込みロックの部品を表す分解斜視図である。
【図５】本発明のラッチボルトの斜視図である。
【図６】本発明のラッチボルトの部品を表す分解斜視図である。
【図７】図１のVII−VII線による断面図である。
【図８】本発明の彫り込みロックがロッキングされる過程を説明するための図面である。
【図９】本発明の彫り込みロックがロッキングされる過程を説明するための図面である。
【図１０】本発明の彫り込みロックがロッキングされる過程を説明するための図面である。
【図１１】本発明の彫り込みロックがロッキングされる過程を説明するための図面である。
【図１２】本発明の彫り込みロックがロッキングされる過程を説明するための図面である。
【図１３】本発明の彫り込みロックがロッキングされる過程を説明するための図面である。
【図１４】本発明の彫り込みロックがロッキングされる過程を説明するための図面である。
【図１５】本発明の彫り込みロックがロッキングされる過程を説明するための図面である。
【図１６】本発明の彫り込みロックがロッキングされる過程を説明するための図面である。
【図１７】本発明の彫り込みロックのロッキングの解除過程を説明するための図面である。
【図１８】本発明の彫り込みロックのロッキングの解除過程を説明するための図面である。
【図１９】本発明の彫り込みロックのロッキングの解除過程を説明するための図面である。
【国際調査報告】
2008538395.tif 000022
2008538395.tif 000023